(57)【要約】【課題】壁又は天井に強固にまた容易に取り付けることができるスプリングトグルを提供すること。【解決手段】スプリングトグルは、外翼と、内翼と、スプリングと、ボルトとを含む。前記外翼及び前記内翼のそれぞれは、腕と、クリップ用フランジと、２つの側壁とを有する。前記腕は、一端部と、他端部と、２つの縁部とを有する。前記クリップ用フランジは前記腕の前記一端部に形成されている。各側壁は前記腕の前記縁部に形成されている。前記スプリングは前記内翼及び前記外翼に取り付けられている。前記ボルトは、前記スプリングに挿入され、前記内翼の前記クリップ用フランジと前記外翼の前記クリップ用フランジとの間を経て伸び、雄ねじを有する。前記内翼及び前記外翼が前記スプリングにより広げられると、前記ボルトの前記雄ねじは前記内翼の前記クリップ用フランジ及び前記外翼の前記クリップ用フランジにより挟まれる。【選択図】図１
0003128017.tif 000002
【実用新案登録請求の範囲】
【請求項１】
一端部と他端部と２つの縁部と前記他端部に形成された取付部とを有する腕と、該腕の前記一端部に形成されたクリップ用フランジと、それぞれが前記腕の前記縁部に形成された２つの側壁であって各側壁が、前記腕の前記一端部から突出する突出端部と、該突出端部に設けられた貫通穴とを有する２つの側壁とを備える外翼と、
該外翼に回転可能に取り付けられた内翼であって前記外翼の前記腕の幅より狭い幅を有し、かつ一端部と他端部と２つの縁部と前記他端部に形成された取付部とを有する腕と、該腕の前記一端部に形成されたクリップ用フランジと、それぞれが前記腕の前記縁部に形成された２つの側壁であって各側壁が、前記腕の前記一端部から突出する突出端部と、該突出端部に設けられた貫通穴と、該貫通穴の周囲にあって前記突出端部に形成され、前記外翼の一方の側壁の前記貫通穴に取り付けられた取付用フランジとを有し、一方の側壁が固定部を有する２つの側壁とを備える内翼と、
該内翼及び前記外翼に取り付けられたスプリングであって本体と、該本体に接続された２つの脚であって一方の脚が前記内翼に取り付けられ、また他方の脚が前記外翼に取り付けられ、各脚が、前記内翼の前記取付部又は前記外翼の前記取付部に固定された取付用端部を有し、前記一方の脚が前記内翼の前記固定部を経て伸びる２つの脚とを備えるスプリングと、
該スプリングの前記本体に挿入され、前記内翼の前記クリップ用フランジと前記外翼の前記クリップ用フランジとの間を経て伸び、前記内翼の前記クリップ用フランジ及び前記外翼の前記クリップ用フランジにより選択的に挟まれたボルトであって前記内翼の前記クリップ用フランジ及び前記外翼の前記クリップ用フランジにより挟まれた雄ねじを有するボルトとを含む、スプリングトグル。
【請求項２】
前記内翼の前記クリップ用フランジ及び前記外翼の前記クリップ用フランジのそれぞれは雌ねじを有し、前記ボルトの前記雄ねじは、前記内翼の前記雌ねじ及び前記外翼の前記雌ねじに対応しており、前記内翼の前記雌ねじ及び前記外翼の前記雌ねじにより挟まれている、請求項１に記載のスプリングトグル。
【請求項３】
前記内翼の前記クリップ用フランジは、前記内翼の前記腕に対して傾斜しており、かつ先端部を有し、前記外翼の前記クリップ用フランジは、前記外翼の前記腕に対して傾斜しており、かつ先端部を有し、前記ボルトの前記雄ねじは、前記内翼の前記先端部及び前記外翼の前記先端部により挟まれている、請求項１に記載のスプリングトグル。
【考案の詳細な説明】
【技術分野】
【０００１】
本考案は、壁又は天井に強固にまた容易に固定することができるスプリングトグルに関する。
【背景技術】
【０００２】
図７、８に示すように、従来のスプリングトグルは、２つの翼６０と、回転用部材７０と、スプリング８０と、ボルト９０とを含む。翼６０は互いに回転可能に取り付けられており、各翼６０は２つの側壁６１を有する。各側壁６１は、回転用端部６１１と、該回転用端部に設けられた貫通穴６１２とを有する。一方の翼６０の貫通穴６１２及び他方の翼６０の貫通穴６１２は互いに整列されている。回転用部材７０は、翼６０の側壁６１間に配置されており、雌ねじ７１と２つの腕７２とを有する。回転用部材７０の各腕７２は、一方の翼６０の貫通穴６１２及び他方の翼６０の貫通穴６１２を経て伸びる。スプリング８０は、回転用部材７０の一方の腕７２に取り付けられており、２つの脚８１を有する。各脚８１は、翼６０を広げるために該翼に接している。ボルト９０は、翼６０間に配置され、雄ねじ９１を有する。雄ねじ９１は回転用部材７０の雌ねじ７１に螺合されている。
【０００３】
前記スプリングトグルを使用するとき、翼６０が縮められ、壁又は天井を貫通する固定穴に前記スプリングトグルが挿入される。縮められた翼６０が前記固定穴を経て伸びた後、翼６０は、スプリング８０により広げられ、前記スプリングトグルが前記固定穴から抜けないように壁又は天井に接する。ところで、回転用部材７０は薄いシートからなり、回転用部材７０の雌ねじ７１の長さは比較的短い。このため、ボルト９０に比較的大きな荷重が作用するとき、ボルト９０は回転用部材７０から容易に抜ける。また、ボルト９０の位置を調整するためにボルト９０を回転させる必要があるため、前記スプリングトグルは不便であり、前記スプリングトグルの使用には多大な時間を要する。
【考案の開示】
【考案が解決しようとする課題】
【０００４】
本考案の目的は、壁又は天井に強固にまた容易に取り付けることができるスプリングトグルを提供することである。
【課題を解決するための手段】
【０００５】
本考案に係るスプリングトグルは、外翼と、内翼と、スプリングと、ボルトとを含む。前記外翼は、腕と、クリップ用フランジと、２つの側壁とを有する。前記腕は、一端部と、他端部と、２つの縁部と、取付部とを有する。前記取付部は前記他端部に形成されている。前記クリップ用フランジは前記腕の前記一端部に形成されている。各側壁は、前記腕の前記縁部に形成されており、突出端部と、貫通穴とを有する。前記突出端部は前記腕の前記一端部から突出している。前記貫通穴は前記突出端部に設けられている。
【０００６】
前記内翼は、前記外翼に回転可能に取り付けられており、腕と、クリップ用フランジと、２つの側壁とを有する。前記腕の幅は前記外翼の前記腕の幅より狭い。前記腕は、一端部と、他端部と、２つの縁部と、取付部とを有する。前記取付部は前記他端部に形成されている。前記クリップ用フランジは前記腕の前記一端部に形成されている。各側壁は、前記腕の前記縁部に形成されており、突出端部と、貫通穴と、取付用フランジとを有する。前記突出端部は前記腕の前記一端部から突出している。前記貫通穴は前記突出端部に設けられている。前記取付用フランジは、前記貫通穴の周囲にあって前記突出端部に形成されており、前記外翼の一方の側壁の前記貫通穴に取り付けられている。
【０００７】
前記スプリングは、前記内翼及び前記外翼に取り付けられており、本体と、２つの脚とを有する。前記脚は前記本体に接続されており、一方の脚は前記内翼に取り付けられ、また他方の脚は前記外翼に取り付けられている。各脚は取付用端部を有する。前記取付用端部は、前記内翼の前記取付部又は前記外翼の前記取付部に固定されている。
【０００８】
前記ボルトは、前記スプリングの前記本体に挿入され、前記内翼の前記クリップ用フランジと前記外翼の前記クリップ用フランジとの間を経て伸び、雄ねじを有する。前記ボルトの前記雄ねじは、前記内翼の前記クリップ用フランジ及び前記外翼の前記クリップ用フランジにより挟まれている。
【考案を実施するための最良の形態】
【０００９】
図１ないし４に示すように、スプリングトグルは、外翼１０と、内翼２０と、スプリング３０と、ボルト４０とを含む。外翼１０は、腕１１と、クリップ用フランジ１２、１２Ａと、２つの側壁１３とを有する。腕１１は、長方形のシートからなり、一端部と、他端部と、２つの縁部と、取付部１１１とを有する。取付部１１１は前記他端部に形成されている。クリップ用フランジ１２、１２Ａは、腕１１の前記一端部に形成されており、湾曲しているか又は腕１１に対して傾斜している（図６）。各側壁１３は、腕１１の前記縁部に垂直に形成されており、突出端部１３１と、貫通穴１３２とを有する。突出端部１３１は、湾曲しており、腕１１の前記一端部から突出している。貫通穴１３２は突出端部１３１に設けられている。第１実施例において、外翼１０のクリップ用フランジ１２は、湾曲しており、雌ねじ１２１を有する。第２実施例において、外翼１０のクリップ用フランジ１２Ａは、腕１１に対して傾斜しており、先端部１２１Ａを有する。
【００１０】
内翼２０は、外翼１０に回転可能に取り付けられており、腕２１と、クリップ用フランジ２２と、２つの側壁２３とを有する。腕２１は長方形のシートからなり、腕２１の幅は外翼１０の腕１１の幅より僅かに狭い。腕２１は、一端部と、他端部と、２つの縁部と、取付部２１１とを有する。取付部２１１は前記他端部に形成されている。クリップ用フランジ２２、２２Ａは、腕２１の前記一端部に形成されており、湾曲しているか又は腕２１に対して傾斜している。各側壁２３は、腕２１の前記縁部に垂直に形成されており、突出端部２３１と、貫通穴２３２と、取付用フランジ２３３とを有する。突出端部２３１は、湾曲しており、腕２１の前記一端部から突出している。貫通穴２３２は突出端部２３１に設けられている。取付用フランジ２３３は、貫通穴２３２の周囲にあって突出端部２３１に形成されており、外翼１０の一方の側壁１３の貫通穴１３２に取り付けられている。取付用フランジ２３３は内翼２０及び外翼１０を互いに接続する。一方の側壁２３は固定部２３４を有する。第１実施例において、内翼２０のクリップ用フランジ２２は、湾曲しており、雌ねじ２２１を有する。第２実施例において、内翼２０のクリップ用フランジ２２Ａは、腕２１に対して傾斜しており、先端部２２１Ａを有する。
【００１１】
スプリング３０は、内翼１０及び外翼２０に取り付けられており、本体３１と、２つの脚３２とを有する。本体３１は内翼２０の側壁２３間に配置されている。脚３２は本体３１に接続されており、一方の脚３２は内翼２０に取り付けられ、また他方の脚３２は外翼１０に取り付けられている。一方の脚３２は内翼２０の腕２１の固定部２３４を経て伸びる。各脚３２は取付用端部を有する。各脚３２の前記取付用端部は、内翼２０の腕２１の取付部２１１又は外翼１０の腕１１の取付部１１１に固定されている。内翼２０及び外翼１０が縮められると、スプリング３０は、内翼２０及び外翼１０を広げることができるように縮められる。
【００１２】
ボルト４０は、スプリング３０の本体３１に挿入されており、内翼２０のクリップ用フランジ２２、２２Ａと外翼１０のクリップ用フランジ１２、１２Ａとの間を経て伸びる。ボルト４０は雄ねじ４１を有する。第１実施例において、雄ねじ４１は、内翼２０のクリップ用フランジ２２の雌ねじ２２１及び外翼１０のクリップ用フランジ１２の雌ねじ１２１に対応しており、内翼２０のクリップ用フランジ２２の雌ねじ２２１及び外翼１０のクリップ用フランジ１２の雌ねじ１２１により選択的に挟まれている。
【００１３】
前記スプリングトグルが使用されるとき、内翼２０及び外翼１０はボルト４０に対して縮められ、前記スプリングトグルは、壁又は天井を貫通する固定穴に挿入される。内翼２０及び外翼１０がボルト４０に対して縮められると、スプリング３０の本体３１はボルト４０を保持するように縮められる。内翼２０及び外翼１０が前記固定穴の外へ伸びると、内翼２０及び外翼１０は、スプリング３０により広げられ、前記スプリングトグルが前記固定穴から抜けないように前記壁又は前記天井に接する。内翼２０及び外翼１０が広げられると、ボルト４０は、該ボルトが所望の位置に保持されるように内翼２０のクリップ用フランジ２２、２２Ａ及び外翼１０のクリップ用フランジ１２、１２Ａにより挟まれる。これにより、ボルト４０は、内翼２０のクリップ用フランジ２２、２２Ａ及び外翼１０のクリップ用フランジ１２、１２Ａにより強固に挟まれ、ボルト４０に比較的重い荷重が作用しても内翼２０のクリップ用フランジ２２、２２Ａと外翼１０のクリップ用フランジ１２、１２Ａとの間から抜けることがない。
【図面の簡単な説明】
【００１４】
【図１】本考案の第１実施例に係るスプリングトグルの分解斜視図。
【図２】本考案の第１実施例に係るスプリングトグルの側面図。
【図３】本考案の第１実施例に係るスプリングトグルの下方から見た横断面図。
【図４】本考案の第１実施例に係るスプリングトグルの縦断面図。
【図５】外翼及び内翼が縮められたときの本考案の第１実施例に係るスプリングトグルの縦断面図。
【図６】本考案の第２実施例に係るスプリングトグルの縦断面図。
【図７】従来のスプリングトグルの分解斜視図。
【図８】従来のスプリングトグルの縦断面図。
【符号の説明】
【００１５】
１０    外翼
１１    外翼の腕
１２、１２Ａ    外翼のクリップ用フランジ
１３    外翼の側壁
２０    内翼
２１    内翼の腕
２２、２２Ａ    内翼のクリップ用フランジ
２３    内翼の側壁
３０    スプリング
３１    本体
３２    脚
４０    ボルト
４１    雄ねじ
１１１    外翼の取付部
１２１    外翼の雌ネジ
１２１Ａ    外翼の先端部
１３１    外翼の突出端部
１３２    外翼の貫通穴
２１１    内翼の取付部
２２１    内翼の雌ねじ
２２１Ａ    内翼の先端部
２３１    内翼の突出端部
２３２    内翼の貫通穴
２３３    取付用フランジ
２３４    固定部
【図１】
0003128017.tif 000003
【図２】
0003128017.tif 000004
【図３】
0003128017.tif 000005
【図４】
0003128017.tif 000006
【図５】
0003128017.tif 000007
【図６】
0003128017.tif 000008
【図７】
0003128017.tif 000009
【図８】
0003128017.tif 000010